(57)【要約】【課題】複数の篩網をメッシュの違ったものと交換する場合や、篩網に目詰まりが生じて清掃を行う場合に、篩胴全体を取り外す必要がなく、その作業を容易かつ迅速に行うことができる篩分け装置を提供する。【解決手段】横方向に延長配置された円筒状の篩胴１３の底部に複数の篩出し口２３Ａ〜２３Ｄを形成する。これらの篩出し口２３Ａ〜２３Ｃにはメッシュの異なった複数の篩網２４Ａ〜２４Ｃを着脱可能に取り付ける。【選択図】      図２
2004261665.tif 000002
【特許請求の範囲】
【請求項１】
横方向に延長配置された円筒状の篩胴の底部に複数の篩出し口を形成し、それらの篩出し口にメッシュの異なった複数の篩網を張設し、篩胴内に投入される顆粒物を軸線方向に移送しながら、複数の篩網にて篩分けるようにした篩分け装置において、
前記複数の篩網を篩胴の篩出し口に着脱可能に取り付けたことを特徴とする篩分け装置。
【請求項２】
前記篩胴の各篩出し口に収集口を着脱可能に取り付けたことを特徴とする請求項１に記載の篩分け装置。
【発明の詳細な説明】
【０００１】
【発明の属する技術分野】
この発明は、例えば蕎麦粉等の顆粒物を篩分ける篩分け装置に関するものである。
【０００２】
【従来の技術】
従来、例えば石臼で粉砕された蕎麦粉を篩分ける篩分け装置においては、横方向に延長配置された円筒状の篩胴の底部に複数の篩出し口が形成され、それらの篩出し口にはメッシュの異なった複数の篩網が張設固定されている。そして、篩胴内に投入される顆粒物が送り羽根の回転により軸線方向に移送されながら、複数の篩網にて順に篩分けられるようになっている。
【０００３】
【発明が解決しようとする課題】
ところが、この従来の篩分け装置においては、複数の篩網が篩胴の篩出し口に着脱不能に張設固定されていた。このため、各篩網をメッシュの違ったものと交換する場合や、篩網に目詰まりが生じて清掃を行う場合に、篩胴全体を取り外す必要があって、その作業が非常に面倒で時間がかかるという問題があった。
【０００４】
この発明は、このような従来の技術に存在する問題点に着目してなされたものである。その目的は、複数の篩網をメッシュの違ったものと交換する場合や、篩網に目詰まりが生じて清掃を行う場合に、篩胴全体を取り外す必要がなく、その作業を容易かつ迅速に行うことができる篩分け装置を提供することにある。
【０００５】
【課題を解決するための手段】
上記の目的を達成するために、請求項１に記載の発明は、横方向に延長配置された円筒状の篩胴の底部に複数の篩出し口を形成し、それらの篩出し口にメッシュの異なった複数の篩網を張設し、篩胴内に投入される顆粒物を軸線方向に移送しながら、複数の篩網にて篩分けるようにした篩分け装置において、前記複数の篩網を篩胴の篩出し口に着脱可能に取り付けたことを特徴とするものである。
【０００６】
従って、この請求項１に記載の発明によれば、複数の篩網をメッシュの違ったものと交換する場合や、篩網に目詰まりが生じて清掃を行う場合に、篩胴全体を取り外す必要がなく、各篩網を篩胴の篩出し口に対して脱着することができる。よって、篩網の交換や清掃の作業を容易かつ迅速に行うことができる。
【０００７】
請求項２に記載の発明は、請求項１に記載の発明において、前記篩胴の各篩出し口に収集口を着脱可能に取り付けたことを特徴とするものである。
従って、この請求項２に記載の発明によれば、篩胴の各篩出し口から収集口を取り外した状態で、各篩網を篩胴の篩出し口に対して脱着することができる。よって、篩網の交換や清掃の作業を一層容易に行うことができる。
【０００８】
【発明の実施の形態】
以下に、この発明の一実施形態を、図面に基づいて説明する。
図１及び図２に示すように、篩分け装置の本体１１は下方に向かって開口するほぼ箱型に形成され、その両側下部には各一対の支持脚１２が突設されている。本体１１内には円筒状の篩胴１３が横方向に延びるように配設され、その篩胴１３の一端上部には本体１１上の投入口１４に連通する投入部１５が設けられている。そして、この投入口１４から投入部１５を介して篩胴１３内に蕎麦粉等の顆粒物が投入されるようになっている。
【０００９】
前記篩胴１３内には送り羽根１６が回転軸１７を介して回転可能に配設されている。本体１１の一側内部にはモータ１８が配設され、このモータ１８の回転により、駆動プーリ１９、Ｖベルト２０及び被動プーリ２１を介して回転軸１７及び送り羽根１６が回転されるようになっている。そして、このモータ１８による送り羽根１６の回転によって、篩胴１３内の一端側に投入された顆粒物が軸線方向に沿って他端側へ移送されるようになっている。
【００１０】
図５に示すように、前記被動プーリ２１は一対のプーリ板２１ａ，２１ｂから構成されている。そして、一方のプーリ板２１ａを回転軸１７上で軸線方向へ移動調節するとともに、ねじ２１ｃによってその移動調節位置で固定することにより、両プーリ板２１ａ，２１ｂ間におけるＶベルト２０の掛装位置が変更されて、回転軸１７の回転速度を調整できるようになっている。
【００１１】
図１〜図４に示すように、前記篩胴１３は軸線方向に沿って上下に２分割され、複数のボルト２２により接合固定されている。篩胴１３の底部には４つの篩出し口２３Ａ，２３Ｂ，２３Ｃ，２３Ｄが軸線方向に配列形成され、３つの篩出し口２３Ａ〜２３Ｃにはメッシュの異なった篩網２４Ａ，２４Ｂ，２４Ｃが着脱可能に取り付けられている。すなわち、各篩網２４Ａ〜２４Ｃは、一端において係止部２５により篩胴１３の一側外面に係止されるとともに、他端において一対のクランプ２６により篩胴１３の他側外面に係脱可能にクランプされている。
【００１２】
前記篩胴１３の各篩出し口２３Ａ〜２３Ｄには、収集口２７Ａ，２７Ｂ，２７Ｃ，２７Ｄが着脱可能に取り付けられている。すなわち、各収集口２７Ａ〜２７Ｄは、一端において係止部２８により篩胴１３の一側外面に係止されるとともに、他端においてクランプ２９により篩胴１３の他側外面に係脱可能にクランプされている。そして、顆粒物が送り羽根１６により篩胴１３内で軸線方向に移送されるとき、篩網２４Ａ〜２４Ｃにより顆粒物が１番粉、２番粉、３番粉等に篩分けられて、収集口２７Ａ〜２７Ｃから排出されるとともに、残りの糟が篩出し口２３Ｄを介して収集口２７Ｄから排出されるようになっている。
【００１３】
次に、前記のように構成された篩分け装置について作用を説明する。
さて、この篩分け装置において、篩網２４Ａ〜２４Ｃをメッシュの違ったものと交換する場合、あるいは篩網２４Ａ〜２４Ｃに目詰まりが生じて清掃を行う場合には、クランプ２９を解除操作して、各収集口２７Ａ〜２７Ｃを篩胴１３の各篩出し口２３Ａ〜２３Ｃから取り外す。これにより、各篩網２４Ａ〜２４Ｃの下面が開放される。この状態で、クランプ２６を解除操作すれば、各篩網２４Ａ〜２４Ｃを篩胴１３の各篩出し口２３Ａ〜２３Ｃから取り外すことができる。
【００１４】
また、交換後または清掃後の篩網２４Ａ〜２４Ｃを取り付ける際には、前記取り外し時と逆順に、各篩網２４Ａ〜２４Ｃを篩胴１３の篩出し口２３Ａ〜２３Ｃに取り付けて、クランプ２６によりクランプする。その後、各収集口２７Ａ〜２７Ｃを篩胴１３の篩出し口２３Ａ〜２３Ｃに取り付けて、クランプ２９によりクランプすればよい。
【００１５】
従って、この実施形態によれば、以下のような効果を得ることができる。
（１）  この篩分け装置においては、横方向に延長配置された円筒状の篩胴１３の底部に複数の篩出し口２３Ａ〜２３Ｄが形成されている。そして、これらの篩出し口２３Ａ〜２３Ｃにはメッシュの異なった複数の篩網２４Ａ〜２４Ｃが着脱可能に取り付けられている。
【００１６】
このため、複数の篩網２４Ａ〜２４Ｃをメッシュの違ったものと交換する場合や、篩網２４Ａ〜２４Ｃに目詰まりが生じて清掃を行う場合に、篩胴１３全体を取り外す必要がなく、各篩網２４Ａ〜２４Ｃを篩胴１３の篩出し口２３Ａ〜２３Ｃに対して脱着することができる。よって、篩網２４Ａ〜２４Ｃの交換や清掃の作業を容易かつ迅速に行うことができる。
【００１７】
（２）  この篩分け装置においては、前記篩胴１３の各篩出し口２３Ａ〜２３Ｄに収集口２７Ａ〜２７Ｄが着脱可能に取り付けられている。このため、篩胴１３の各篩出し口２３Ａ〜２３Ｃから収集口２７Ａ〜２７Ｃを取り外した状態で、各篩網２４Ａ〜２４Ｃを篩胴１３の篩出し口２３Ａ〜２３Ｃに対して脱着することができる。よって、篩網２４Ａ〜２４Ｃの交換や清掃の作業を一層容易に行うことができる。
【００１８】
（変更例）
なお、この実施形態は、次のように変更して具体化することも可能である。
・  前記実施形態において、篩胴１３の篩出し口２３Ａ〜２３Ｃに対する各篩網２４Ａ〜２４Ｃの係脱構成を、例えば各篩網２４Ａ〜２４Ｃの両側においてクランプするように構成する等、任意に変更して構成すること。
【００１９】
・  前記実施形態において、篩胴１３の篩出し口２３Ａ〜２３Ｄに対する各収集口２７Ａ〜２７Ｄの係脱構成を、例えば各収集口２７Ａ〜２７Ｄの両側においてクランプするように構成する等、任意に変更して構成すること。
【００２０】
【発明の効果】
以上、実施形態で例示したように、この発明においては、複数の篩網をメッシュの違ったものと交換する場合、あるいは篩網に目詰まりが生じて清掃を行う場合に、篩胴全体を取り外す必要がなく、その作業を容易かつ迅速に行うことができる。
【図面の簡単な説明】
【図１】一実施形態の篩分け装置を示す斜視図。
【図２】図１の篩分け装置の縦断面図。
【図３】図２の３−３線における拡大断面図。
【図４】図２の４−４線における拡大断面図。
【図５】図１の篩分け装置における被動プーリ部分の拡大断面図。
【符号の説明】
１１…本体、１３…篩胴、１６…送り羽根、１７…回転軸、１８…モータ、２３Ａ〜２３Ｄ…篩出し口、２４Ａ〜２４Ｃ…篩網、２５…係止部、２６…クランプ、２７Ａ〜２７Ｄ…収集口、２８…係止部、２９…クランプ。
【図１】
2004261665.tif 000003
【図２】
2004261665.tif 000004
【図３】
2004261665.tif 000005
【図４】
2004261665.tif 000006
【図５】
2004261665.tif 000007